(57)【特許請求の範囲】
【請求項１】
板金折曲基板本体と後部基板とフックで構成された瓦棒ドブ折曲工具で、前記瓦棒折曲工具は、板金で成形された瓦棒が棟に当る上部の板金を挿入し折曲できるように上部基板と下部基板の２枚の折曲基板に平板を一方縁に揃え挟込み後部基板を設け、前記平板を揃え挟み込むことにより形成される前方と左右に開口を有する余白空間を横長凹型開口部として設け、前記上下部基板の他方に前記横長凹型開口部先端外側にテーパーを設け、前記後部基板の台形型上辺の中心位置かつ横長凹型開口部の底よりも間を置いた位置であって、基板面に対して鉛直方向にフックを係合するための螺旋孔を後部基板に設け、且つ前記後部基の台形状上辺に対して直交方向で、かつ前記螺旋孔とは間を置いた位置であって、基板面に対して鉛直方向に穴を後部基板に設け、前記穴aを連続に開口し前記後部基板の一方の横方向位置に半円形型長孔開口部を設け、パイプを用いたフックの一方端より間を置いて孔を設け、前記螺旋孔と孔を係合する固定蝶ネジを設け、更に続いて前記フックの長手方向であって孔とは間を置いた位置に穴を設け、前記後部基板の前記半円形型長孔開口部と穴bを係合するカシメボルトを設け前記後部基板と前記フックを係合することで板金折曲後収納時に前記後部基板上にフックを折りたたむことが出来ることを特徴とする瓦棒ドブ折曲工具。
【発明の詳細な説明】
【技術分野】
【０００１】
本発明は、建築屋根に用いる瓦棒ドブ折曲工具に関し、より詳しくは、木造の家や体育館等の建物屋根を造作していく際に、瓦やスレート、ルーフデッキを使わずに薄物鉄板を加工し瓦棒方式の屋根を造作することが多く、縦に張りめぐらした瓦棒屋根上部棟に接する部分の立上げで雨漏り防止の作業を行う瓦棒ドブ折曲工具に関する。
【背景技術】
【０００２】
従来、板金用折曲工具に於いて、上端に握手部が装着される本体に、３個のローラー大、中、小あり、其の前記３個のローラーをその接点が、同一高さ、かつ同一線上となるように回転自在に支持し、更に其の接点が鋭角状となるように円周部にテーパー部を形成した構成とする折曲工具で板金に折り曲げ線を付けることで容易に折り曲げることが出来る折曲工具はあった。（特許文献１参照）
【０００３】
従来、板金用折曲工具に於いて、板金の折り曲げ位置に支点形成体を配置すると共に、同板金の側縁部に作用点形成体が当接する支持ロッドをその輪線方向に摺動位置調節することが出来るようにしたことにより、折曲げられる板金の側縁部が橈み変形を起こすのを防止するものはあった。（特許文献２参照）
【先行技術文献】
【特許文献】
【０００４】
【特許文献１】実用新案公開平７−３７５７５公報
【特許文献２】登録実用新案第３０８３０２８号公報
【発明の概要】
【発明が解決しようとする課題】
【０００５】
板金折曲工具に関し、上記のように、複数のローラーによって板金に折曲げ線を付けることで容易に板金を折曲工具はあった（特許文献１参照）。又、折り曲げられる板金の側縁部が撓み変形を起こすのを防止する折曲工具はあった（特許文献２参照）。
然るに、板金折曲工具としては、さまざま発明又は考案されているが、本発明の意図する瓦棒ドブ折曲工具専用としての瓦棒ドブ立上工具は開発されておらず、個人個人が、通常掴み挟み工具や簡素な手作りの工具はあった。そこで瓦棒ドブ立ち上げ専用折曲工具を提供するものである。
【０００６】
本発明は、上記のような従来の問題点や欠点を改善して、瓦棒屋根葺き過程に於いて、チャンネル型の俗に言う瓦棒の棟に接する上部最終の立上げで雨漏りを防ぐのであるが、一軒の平屋建ての屋根でも瓦棒最終ドブ立上げ作業は、折曲数も多く大変な作業である。又体育館等の大きな屋根工事の時には、数十日間もの手間が掛かり大変なものである。そこで、瓦棒ドブ立上げに関し、瓦棒を板金折曲基板本体に挟み込み一回で瓦棒ドブ立上げができるように軽力を得る梃子を利用したフックを設け、瓦棒ドブ立上げをした際、瓦棒ドブ折曲工具が抜けなくならないように、板金折曲基板本体の表裏両側面に傾斜を用い、更に裏面を使用すると規格外の折曲げが出来るように表裏二面を使用できるようにしたことにより、寸法の違う瓦棒で苦労していた瓦棒ドブ立上げが楽にでき、作業工程も日数が短縮できて社会に貢献出来る。重ねて工具箱に整然と入るようにフックを後部基板上に折りたためるようにした瓦棒ドブ折曲工具を提供するものである。
【課題を解決するための手段】
【０００７】
本発明の板金折曲基板本体と後部基板とフックで構成された瓦棒ドブ折曲工具で、前記瓦棒折曲工具は、板金で成形された瓦棒が棟に当る上部の板金を挿入し折曲できるように上部基板と下部基板の２枚の折曲基板に平板を一方縁に揃え挟込み後部基板を設け、前記平板を揃え挟み込むことにより形成される前方と左右に開口を有する余白空間を横長凹型開口部とし設け、前記上下部基板の他方に前記横長凹型開口部先端外側にテーパーを設け、前記後部基板の台形型上辺の中心位置かつ横長凹型開口部の底よりも間を置いた位置であって、基板面に対して鉛直方向にフックを係合するための螺旋孔を後部基板に設け、且つ前記後部基の台形状上辺に対して直交方向で、かつ前記螺旋孔とは間を置いた位置であって、基板面に対して鉛直方向に穴を後部基板に設け、前記穴aを連続に開口し前記後部基板の一方の横方向位置に半円形型長孔開口部を設け、パイプを用いたフックの一方端より間を置いて孔を設け、前記螺旋孔と孔を係合する固定蝶ネジを設け、更に続いて前記フックの長手方向であって孔とは間を置いた位置に穴を設け、前記後部基板の前記半円形型長孔開口部と穴bを係合するカシメボルトを設け前記後部基板と前記フックを係合することで板金折曲後収納時に前記後部基板上にフックを折りたたむことが出来る瓦棒ドブ折曲工具。
【発明の効果】
【０００８】
本発明の瓦棒ドブ折曲機は、建築屋根葺き工事に於いて、従来の自作工具や掴み工具と異なり、板金折曲基板本体は、凹型を横向きにした形状で瓦棒折曲板金を包み込み一回で容易に折り曲げることが出来るようにしたもので社会に貢献できる瓦棒ドブ折曲機である。
【図面の簡単な説明】
【０００９】
【図１】本発明の実施例となる瓦棒ドブ折曲機で瓦棒板金棟付当たりドブ部板金を少し折曲している斜視図
【図２】本発明の実施例となる瓦棒ドブ折曲機の側面図
【図３】本発明の実施例となる瓦棒ドブ折曲機の平面図
【発明を実施するための形態】
【００１０】
以下、本発明の実施の形態を実施例となる図１〜図３の参照に基づいて説明する
【００１１】
図１は、本発明の実施例となる瓦棒ドブ折曲機と瓦棒板金付棟当たりドブ部瓦棒板金を少し折り曲げているところを斜視図で示し、従来瓦棒板金の棟付当たり折り曲げは、掴み挟み工具を使って折り曲げたいたのであるが、本発明の上部基板４と下部基板５の狭い方を後方にして後方縁に平板を包み込み合わせ三重にし、後部基板をなし、上下基板間の空洞を横長凹方型開口部７として設けると良い。
前記後部基板２の長辺に平行に間を置いて、更に前記長辺の中心の交わる点に螺旋孔９を設け、且つ前期後部基板２の長辺に直角の線上と螺旋孔９との間に穴a１２を設け、前記穴a１２を連続に開口し、前記後部基板２短辺の一方へ半円形型長孔開口部１５を設けると良い。
瓦棒板金１６の瓦棒板金棟付当たりドブ部１７を前記上下基板４、５の横長凹型開口部７間に挟み少し折り曲げている斜視図を示している。
前記後部基板２長辺の中心点及び前記長辺縁平行に間隙を取りフックを備え、フックは自在固定蝶ネジを用い、前記穴aと前記半円形型長孔開口部１５の係合はカシメナットを設けると良い。
【００１２】
図２は、本発明の実施例となる瓦棒ドブ折曲機の側面図を示し、板金折曲基板本体１の上部基材４と下部基材５の一方の縁に沿って合し、平板６を更に合し、中に包み込み三重に設けて後部基板２とし、前記上部基板４と下部基板５の他方の縁間までの隙間部分を横長凹型開口部７として設け、且つ前記後部基板２の長辺の中心及び一方縁に直角の線上に横長凹型開口部７底より間を置いて螺旋孔９を設け、続いて前記線上に間を置いて穴a１２を設け、前記穴a１２を連続に長孔を開口し前記後部基板２の横方向位置に半円形型長孔開口部１５を設け、パイプを用いたフック３の一方の端に間を置いて孔１０を設け、前記螺旋孔９と孔１０を係合する固定蝶ネジ１１を設け、更に続いて前記孔１０に直線上に間を置いて穴b１３を設け、前記後部基板の前記半円形型長孔開口部１５と穴b１３を係合するカシメボルト１４を設け、前記後部基板２と前記フック３を係合することにより前記後部基板上にフックをスライドさせ収納できるので良い。前記横長凹型開口部７に瓦棒ドブ折曲部分を挿入し、前記フック３を持ち手動で引いて瓦棒が棟付に当たる板金を立ち上げ折曲すると良い。
【００１３】
図３は、本発明の実施例となる瓦棒ドブ折曲機の平面図を示し、台形型上部基板４と台形型下部基板５の短辺縁に沿って平板６を挟み込み三重の層として後部基板２を設け、前記平板６が挟み込まれていない前記上下基板４，５間の空間を横凹型長孔開口部７として板金折曲基板本体１設け、板金を挟み折曲出来るようにした。
前記後部基板２の台形型上辺の中心及び前記上辺縁より直角の線上の前記板金折曲基板本体１より間を取り螺旋孔９を設け、更に間を取り穴aを設け、前記穴aに連続して長孔を開口し横向きに半円形型長孔開口部１５を設け、パイプ状のフック３の一方端の中心及び端より間を取り孔を設け、更に間を取り穴ｂ設け、前記螺旋孔９と孔を自在固定ネジ１１で係合させ設け、前記半円形型長孔開口部１５と穴bと係合させ設けることにより、前記後部基板２上にフック３横スライスさせ収納できるようにした。
製作の際の原寸を記す。
１、  台形型上部基板４の寸法    上辺２３８ｍｍ、底辺３６０ｍｍ、上辺と底辺間の寸法１０５ｍｍ。
２、  台形型下部基板５の寸法    上辺２９０ｍｍ、底辺３８０ｍｍ、上辺と底辺間の寸法１０５ｍｍ。
３、  台形型平板６の寸法        上辺３０３ｍｍ、底辺３３７ｍｍ、上辺と底辺間の寸法４５ｍｍ。
１，２，３、  の孔、螺旋孔、穴a、穴b、半円形型長孔開口部、と自在固定蝶ネジ、カシメボルトの開口直径３ｍｍの同径。
４、  フックの寸法              係合部分の長さ４５ｍｍ、パイプ部分の長さ
２０５ｍｍ。フック係合先より６ｍｍの点に孔、
孔と穴b間は２９ｍｍで上辺間１０ｍｍ。
５、半円形型長孔開口部        キリは、直径３ｍｍで開口し長孔で円形の四分の一の長さにすると良い。
【符号の説明】
【００１４】
１    板金折曲基板本体
２    後部基板
３    フック
４    上部基板
５    下部基板
６    平板
７    横長凹型開口部
８    テーパー
９    螺旋孔
１０  孔
１１  自在固定ネジ
１２  穴b
１３  穴a
１４  カシメボルト
１５  半円形型長孔開口部
１６  瓦棒板金
１７  瓦棒板金棟付当たりドブ部を少し折曲されている板金の状態
【要約】      （修正有）【課題】瓦棒ドブ折曲機に関し、瓦棒ドブ折曲工具専用としての工具は開発されておらず、個人個人が、通常掴み挟み工具や簡素な手作りの工具はあった。そこで瓦棒ドブ立ち上げ専用折曲工具を提供する。【解決手段】上部部基板４と下部基板５からなる台形型の板金折曲基板本体１と後部基板２を一体として、前記後部基板２にフック３を設け、前記板金折曲基板本体１に設けた横長凹型開口部７に瓦棒の棟に突き当たる部分の板金を挟み込み立ち上げを可能にした瓦棒ドブ折曲機。【選択図】図２【図１】
0004695229.tif 000002
【図２】
0004695229.tif 000003
【図３】
0004695229.tif 000004